(57)【要約】【課題】質の良い映像光を投射することができ、外観にも優れた遮光層を備えたマイクロレンズを有する両面成型フィルムを提供する。【解決手段】基礎となるベースフィルム３２と、ベースフィルムの一方の面に複数配列されるマイクロレンズ３１、３１、…と、ベースフィルムの他方の面に設けられ、透過開口３３ａ、３３ａ、…を有する遮光層３３とを備え、透過開口が、マイクロレンズの焦点位置に近接して設けられる主透過開口３３ｂ、３３ｂ、…と、主透過開口同士を一定の方向に連結するように設けられる連結透過開口３３ｃ、３３ｃ、…とを具備することにより直線状であるものとする。【選択図】図３
2007264134.tif 000002
【特許請求の範囲】
【請求項１】
基礎となるベースフィルムと、
前記ベースフィルムの一方の面に複数配列されるマイクロレンズと、
前記ベースフィルムの他方の面に設けられ、透過開口を有する遮光層と、を備え、
前記透過開口が、
前記マイクロレンズの焦点位置に近接して設けられる主透過開口と、
前記主透過開口同士を一定の方向に連結するように設けられる連結透過開口と、を具備することにより直線状であることを特徴とするマイクロレンズを有するレンズ成型フィルム。
【請求項２】
前記主透過開口の前記連結透過開口によって連結される方向が、前記マイクロレンズの配列ピッチのうち最も短いピッチ方向であることを特徴とする請求項１に記載のマイクロレンズを有するレンズ成型フィルム。
【請求項３】
直線状に形成される前記透過開口の前記主透過開口の最大幅が、前記連結透過開口の最大幅よりも大きいことを特徴とする請求項１又は２に記載のマイクロレンズを有するレンズ成型フィルム。
【請求項４】
前記遮光層側平面視で、該遮光層の面積に対する前記透過開口の面積が５〜３０％であることを特徴とする請求項１〜３のいずれか一項に記載のマイクロレンズを有するレンズ成型フィルム。
【発明の詳細な説明】
【技術分野】
【０００１】
本発明は、リアプロジェクションテレビ、フラットパネルディスプレイ等にスクリーンとして用いられる一方の面に配列された複数のマイクロレンズを有するレンズ成型フィルムに関する。
【背景技術】
【０００２】
近年、リアプロジェクションテレビやフラットパネルディスプレイ等の普及が進み、その品質向上が求められている。これら要求の中に、該リアプロジェクションテレビやフラットパネルディスプレイの観察者の見る位置によって画面の輝度や色度が変化するいわゆる視野角依存性の解決があった。また同時に、明るい環境下でも映像を適切に認識することができるようにかかる環境下におけるコントラスト比低下を抑制することも必要であった。
【０００３】
はじめにリアプロジェクションテレビ１００を例に説明する。図５はリアプロジェクションテレビの内部構成を模式的に示した図である。紙面右が観察者側、紙面左が光源側となるように示している。また、図５にはプロジェクター１０２から投射された光がスクリーンを介して外部に投射されるまでの光の経路を一点鎖線の矢印で示した。リアプロジェクションテレビ１００は、筐体１０１の内側に、映像を投射するプロジェクター１０２と、該プロジェクター１０２からの光（映像光）を観察者側に反射する反射鏡１０３と、該反射鏡１０３からの光を適切に映像として分配して透過させるスクリーン１０４とを主要に備えている。
【０００４】
かかる構成のリアプロジェクションテレビ１００において、上記問題点を解決するためにスクリーン１０４に例えば特許文献１に開示されているようにマイクロレンズを備えたレンズ成型フィルム１３０を適用する方法がある。図６〜図８に従来におけるマイクロレンズを有するレンズ成型フィルム１３０の概要を示した。図６はマイクロレンズを有するレンズ成型フィルム１３０の一部を拡大して示した斜視図である。図７はマイクロレンズを有するレンズ成型フィルム１３０の層構成を示す模式図である。さらに図８はマイクロレンズを有するレンズ成型フィルム１３０を遮光層１３３側から見た平面図である。図６〜図８を参照しつつ従来のマイクロレンズを有するレンズ成型フィルム１３０について説明する。マイクロレンズを有するレンズ成型フィルム１３０は、基礎となる透明であるベースフィルム１３２の一方の面にマイクロレンズ１３１、１３１、…を、他方の面に光を吸収する等して該光を外部へ投射させない光学要素である遮光層１３３、１３３、…を有している。また、遮光層１３３、１３３、…には光を通過させることのできる透過開口１３３ａ、１３３ａ、…が設けられている。該透過開口１３３ａ、１３３ａ、…はマイクロレンズ１３１、１３１、…の頂点からレンズ成型フィルム１３０の厚み方向延長線上に中心を有する円形で構成されている（図７、図８参照）。そして図８からわかるように透過開口１３３ａ、１３３ａ、…は各マイクロレンズ１３１、１３１、…に対して個別に設けられている。
【０００５】
このマイクロレンズを有するレンズ成型フィルム１３０をスクリーン１０４に適用する場合、マイクロレンズ１３１、１３１、…が光源１０２側に、遮光層１３３、１３３、…が観察者側となるように設置される。従って、反射鏡１０３側からの光は、レンズ１３１、１３１、…によって集光されつつベースフィルム１３２を透過して遮光層１３３、１３３、…の透過開口１３３ａ、１３３ａ、…を通過して映像として投射される。
【０００６】
ここで、遮光層１３３は、室外側からの光のリアプロジェクションテレビ１００内側への入り込みを吸収して抑制するとともに、リアプロジェクション内側からの迷光を吸収することができる。一方、透過開口１３３ａ、１３３ａ、…からは映像光が投射される。これにより、コントラストを高め、明るい環境下でも適切に映像を認識することができるとともに、映像光を適切な視野角を有して投射させることができるとするものであった。
【０００７】
【特許文献１】特開２００３−１２１６０９
【発明の開示】
【発明が解決しようとする課題】
【０００８】
しかし、上述の遮光層に設けられた透過開口はその性質上、開口面積（開口率）による投射映像の明暗と、外部光の遮光の程度によるコントラストの高低との関係は対立する傾向にあった。そしてこれに対して、従来よりもさらに明るい映像と高いコントラストとを同時に満たすことができることが求められていた。
【０００９】
また、図８や特許文献１に記載された従来のレンズ成型フィルムにおける透過開口のように、該透過開口が円形である場合には、製造上、精度良く円形に透過開口を設けることが困難であった。これにより適切に映像を投射することができないという問題もあった。
【００１０】
さらに、この透過開口は映像を投射していない場合（例えば光源が点灯していない状態のとき）における画面の「ムラ」に影響を与え、外観に問題を生じる場合があった。
【００１１】
そこで本発明では、質の良い映像光を投射することができ、外観にも優れた遮光層を備えたマイクロレンズを有するレンズ成型フィルムを提供することを課題とする。
【課題を解決するための手段】
【００１２】
以下、本発明について説明する。なお、本発明の理解を容易にするために添付図面の参照符号を括弧書きにて付記するが、それにより本発明が図示の形態に限定されるものではない。
【００１３】
請求項１に記載の発明は、基礎となるベースフィルム（３２）と、ベースフィルムの一方の面に複数配列されるマイクロレンズ（３１、３１、…）と、ベースフィルムの他方の面に設けられ、透過開口（３３ａ、３３ａ、…）を有する遮光層（３３）とを備え、透過開口が、マイクロレンズの焦点位置に近接して設けられる主透過開口（３３ｂ、３３ｂ、…）と、主透過開口同士を一定の方向に連結するように設けられる連結透過開口（３３ｃ、３３ｃ、…）とを具備することにより直線状であることを特徴とするマイクロレンズを有するレンズ成型フィルムを提供することにより前記課題を解決する。ここで、透過開口の形成方法は特に限定されるものではないが、遮光層の一部が除去されることによって形成されることを挙げることができる。
【００１４】
請求項２に記載の発明は、請求項１に記載のマイクロレンズを有するレンズ成型フィルム（３０）の主透過開口（３３ｂ、３３ｂ、…）の連結透過開口（３３ｃ、３３ｃ、…）によって連結される方向が、マイクロレンズ（３１、３１、…）の配列ピッチのうち最も短いピッチ方向であることを特徴とする。
【００１５】
請求項３に記載の発明は、請求項１又は２に記載のマイクロレンズを有するレンズ成型フィルム（３０）の直線状に形成される透過開口（３３ａ、３３ａ、…）の主透過開口（３３ｂ、３３ｂ、…）の最大幅が、連結透過開口（３３ｃ、３３ｃ、…）の最大幅よりも大きいことを特徴とする。
【００１６】
請求項４に記載の発明は、請求項１〜３のいずれか一項に記載のマイクロレンズを有するレンズ成型フィルム（３０）の遮光層（３３）側平面視で、該遮光層の面積に対する透過開口（３３ａ、３３ａ）の面積が５〜３０％であることを特徴とする。
【発明の効果】
【００１７】
本発明のマイクロフィルムを有するレンズ成型フィルムの遮光層に設けられた透過開口によって、投射光が適切に投射されるとともに、外部の光を遮光することができる。従って、例えば従来の透過開口に比較して同じ開口率では、より明るい映像を投射することが可能となる。また、投射光を従来と同じ明るさにした場合には、透過開口の開口率を低く抑えることができ、コントラストの良い映像を提供することができる。
【００１８】
さらには、本発明マイクロフィルムを有するレンズ成型フィルムでは、遮光層の透過開口の構成により、投射光がない場合（例えば光源が点灯していない場合）にもムラがなく、外観に優れたものとすることができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。
【００２１】
図１〜３に１つの実施形態に係る本発明のマイクロレンズを有するレンズ成型フィルム３０を示した。図１はマイクロレンズ側からみた一部を拡大して示した斜視図、図２は層構成を説明する模式図、図３は遮光層３３側から見た一部を拡大して示した平面図である。図１〜図３を参照しつつ、本発明のマイクロレンズを有するレンズ成型フィルム３０について説明する。
【００２２】
レンズ成型フィルム３０は、ベースフィルム３２の一方の面に配設されたマイクロレンズ３１、３１、…と、ベースフィルム３２の他方の面に設けられた遮光層３３とを備えている。また、遮光層３３は、その一部が除去されて形成された透過開口３３ａ、３３ａ、…を有している。以下にそれぞれについて説明する。
【００２３】
ベースフィルム３２は、透明であるフィルムでその両面に光学要素であるマイクロレンズ３１、３１、…及び遮光層を有するものである。ベースフィルム３２の厚さは１０〜３００μｍ程度であるが、５０〜１５０μｍであることが好ましい。材料については後述する。
【００２４】
マイクロレンズ３１、３１、…はその１つ１つが微小なレンズであり、該微小であるレンズがベースフィルムの一方の面上に配列されている。マイクロレンズの形態は特に限定されるものではない。これには本実施形態のような、マイクロレンズ３１、３１、…を挙げることができる。具体的には本実施形態のマイクロレンズ３１、３１、…は、側面視は図２のように凸レンズであり、正面視は図３に示したように長軸及び短軸を有する楕円形である。マイクロレンズ３１、３１、…の大きさは半長径が１１０μｍ、半短径が８０μｍであり、そのピッチは５０〜１５０μｍである。材料については後述する。
【００２５】
遮光層３３は、遮光性を有する層でありその厚さは０．５〜５μｍである。材料については後述する。また、上述のように遮光層３３はその一部が除去されることによって形成された透過開口３３ａ、３３ａ、…を有している。図３からわかるように、透過開口はレンズ３１、３１、…の頂部に対応する位置に形成された主透過開口３３ｂ、３３ｂ、…と、該主透過開口３３ｂ、３３ｂ、…を連結するように設けられた連結透過開口３３ｃ、３３ｃ、…とを有している。従って１つの透過開口３３ａは、直線状のスリットである。このとき主透過開口３３ｂ、３３ｂ、…の幅は、連結透過開口３３ｃ、３３ｃ、…の幅より大きく形成されている。従って、透過開口３３ａ、３３ａ、…は、周期的にスリット幅が膨らんだ部分を有するスリットとされている。また、連結透過開口３３ｃ、３３ｃ、…はマイクロレンズ３１、３１、…の正面視における楕円形の短軸に沿って設けられている。
【００２６】
このような透過開口３３ａ、３３ａ、…とすることにより、従来のように個々に透過開口が設けられた場合に比べ、同じ開口率であっても透過率を大きくすることができ、より明るい投射光を得ることができる。また、このように連続したスリット状の透過開口とすることにより、投射光がない場合（光源が点灯していない状態）における画面のムラを低減させることができ、外観に優れたレンズ成型フィルムを提供することができる。
【００２７】
透過開口形状はマイクロレンズの形状、ピッチ、及び、遮光窓の形成条件によって様々に変更することができる。ここで、開口率は５〜３０％であることが必要であり、１０〜３０％がより好ましい。開口率が５％より小さいと、映像光が十分に透過せず、また、開口率が３０％より大きいと、コントラストが低下し過ぎるため、所望の映像特性を得られなくなる。
【００２８】
これらレンズ３１、３１、…、ベースフィルム３２、及び遮光層３３は、図２に示したように、ベースフィルム３２の両面にレンズ３１、３１、…及び遮光層３３、３３、…が配置される。そして透過開口３３ａ、３３ａ、…の中心と、レンズ３１、３１、…の頂部とがレンズ成型フィルム３０の厚み方向に一直線となるように配置される。これにより映像を適切に投射し、一方で外部光を遮光することができる。
【００２９】
次に各構成部材に好適に用いられる材料について説明する。ベースフィルム３２は光を透過させることができる材料を適用することが可能である。これには例えばポリエチレン、ポリプロピレン、ポリ塩化ビニル、ポリ塩化ビニリデン、ポリスチレン、エチレン−アクリル酸共重合体、エチレン−メタクリル酸共重合体、ニチレン−酢酸ビニル共重合体、エチレン−酢酸ビニル共重合体ケン化物、エチレン−α−オレフィン共重合体エラストマー、酸変性ポリオレフィン、スチレン−ブタジエン−アクリロニトリル共重合体、ポリアミド、ポリカーボネート、ポリスルホン、ポリアセタール、ポリメチルメタクリレート、ポリフェニレンオキシド、ポリウレタン、ポリエチレンテレフタレート（略称とてして「ＰＥＴ」と記載することがある。）、ポリブタジエンテレフタレート、ナイロン等の単体、又は混合体（共押出フィルム等）、及びラミネート品等を挙げることができる。
【００３０】
レンズ３１、３１、…についても光を透過させることできる材料を適用することが可能である。これにはポリ塩化ビニル、アクリル樹脂（ＰＭＭＡ等）、ポリスチレン、ポリカーボネート等の熱可塑性樹脂や、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート等の熱硬化性樹脂を挙げることができる、また、それぞれ単独、又は上記熱可塑性樹脂と熱硬化性樹脂とを混合して使用することができる。
【００３１】
これら熱可塑性樹脂及び／又は熱硬化性樹脂には、ラジカル重合性不飽和基を有する熱成形性物質、又はこれらにラジカル重合性不飽和単量体を加えて電離放射線、非電離放射線硬化性を向上させても良い。また、さらに紫外線吸収剤や光開始剤を配合して、特に紫外線硬化性を向上させたものを使用することができる。これにより、例えばレンズ３１、３１、…を半溶融した上記樹脂で形を形成し、紫外線を照射することにより固化させてベースフィルム３２にレンズ３１、３１、…を配置することができる。
【００３２】
遮光層３３は、バインダーに遮光性のある物質及び光吸収性のある物質が混入されることにより形成される。バインダーとしては、例えばモノマーとしての酢酸ビニル、ビニルアルコール、スチレン、α−メチルスチレン、（メタ）アクリル酸、（メタ）アクリル酸エステル（メタクリル酸メチル等）、フッ素含有（メタ）アクリル酸誘導体、アクリロニトリル、エチレン、プロピレン、ブテン、ブタジエン等のオレフィン等から選ばれる少なくとも１種類のモノマーを重合させた重合体を挙げることができる。
【００３３】
また、他にもセルロースアセテート、セルロースプロピオネート、セルロースブチレート、セルロースアセテートブチレート、エチルセルロース、ニトロセルロース等のセルロース誘導体や、ポリアミド、ポリイミド、ポリエチレンテレフタレート等のポリエステル、加えてポリカーボネート、ポリアリレート、ポリスルホン、ポリアセタール、ポリフェニレンオキシド、ポリウレタン、エポキシ樹脂、フェノール系樹脂、石油系樹脂、天然ゴム類、合成ゴム類（ブタジエン系ゴム等）、シリコン樹脂、フッ素樹脂等のポリマーから選ばれた透明樹脂を挙げることができる。
【００３４】
さらにはバインダーとして、ワックス類を使用しても良い。これには、鯨ロウ、蜜ロウ、カルナバロウ、キャンデリラロウ、木ロウ、モンタンロウ、ラノリンロウ等の天然ワックスや、パラフィンロウ、マイクロクリスタリンワックス、エステルワックス、酸化ワックス、低分子量ポリエチレンワックス、モンタンワックス、塩化パラフィン等の合成ワックス、さらにはラウリン酸、ミリスチン酸、パルミチン酸、ステアリン酸、フロメン酸、ベヘニン酸等の高級脂肪酸や、エステル類（ショ糖の脂肪酸エステル、スルビタンの脂肪酸エステル等）、アミド類（ステアリンアミド、オレインアミド等）を挙げることができる。
【００３５】
以上に示したバインダーとして使用されることができる物質は単独でも、２種以上が組み合わされても、いずれによっても使用可能である。
【００３６】
また、バインダーには、酸化剤として硝酸アンモニウム、硝酸カリウム、又は過塩素酸カリウムを加えても良い。これによりレーザ照射時の燃焼性を向上させることができる。
【００３７】
遮光性物質としては、例えばカーボンブラック、暗色系顔料、染料を挙げることができる。これは光を遮る効果が大きく、かつ、画像の表示の妨げにならないよう色相を有していることが好ましい。これには例えば黒色、灰色、白を挙げることができるが、外反射を伴わない黒色であることがさらに好ましい。
【００３８】
光吸収物質は、レーザ照射工程においてレーザ光のエネルギーを効率よく熱エネルギーに変換することができる物質を使用することができる。これには例えば、近赤外光（波長７００〜２０００ｎｍ）の範囲のレーザ光に対するものとしては、銅又は鉄を含有する化合物の微粉体や錯体、カーボンブラック、アントラキノン化合物、シアニン化合物、フタロシアニン化合物、クロム、コバルト金属錯塩化合物、六塩タングステンと塩化スズをメチルメタクリレート（ＭＭＡ）シロップに溶解させ重合させた物質、ジチオール系の金属錯体（主にニッケル錯体）、スクアリリウム化合物、アセチレン系ポリマーに酸化剤を気相又は液相でドーピングした物質、チオ尿素に硫化第二銅を作用させた物質、イモニュウム系材料等の多くの無機錯体や有機化合物を挙げることができる。
【００３９】
また、可視光（波長４００〜７００ｎｍ）の範囲のレーザ光に対するものとしては、カーボンブラックや、ニトロソ染料、ニトロ染料、アゾ染料、スチルベンアゾ染料、ケトイミン染料、トリフェニルメタン染料、キサンテン染料、アクリジン染料、キノリン染料、メチン、ポリメチン染料、チアゾール染料、インダミン、インドフェノール染料、アジン染料、オキサジン染料、チアジン染料、硫化染料、アミノケトン、オキシケトン染料、アントラキノン染料、インジゴイド染料、もしくはフタロシアニン染料等の有機顔料、さらには、Ｚｎ、Ｃｕ、Ａｌ、Ｐｂ、Ｃｒ、Ｃｄ、Ｆｅ、Ｃｏ、Ｋ、Ｎａ、Ｔｉ、Ｈｇ、Ｓｒ、Ｃａ、Ｂａ、Ｓｉ、Ｓ等の単体、合金、酸化物、水酸化物、又はこれらの複合体、等の無機化合物等を挙げることができる。
【００４０】
以上に説明した遮光性物質及び光吸収性物質は、遮光層中に合計で、１〜７０質量％程度含有される。含有量が１質量％未満であると、遮光層の透過開口の形成精度が低下する虞がある。また、含有量が７０質量％を超えると、配合の効果が飽和する。
【００４１】
以上説明したマイクロレンズを有するレンズ成型フィルム３０の製造方法は特に限定されるものではない。これは例えば次のように行われる。マイクロレンズ３１、３１、…の成型としては、マイクロレンズ３１、３１、…に対応する型が設けられたロールに溶融した紫外線硬化樹脂を供給し、該ロールにベースフィルム３２を巻きつけるとともに紫外線を照射することで紫外線硬化樹脂を硬化させベースフィルム３２上にマイクロレンズ３１、３１、…を成型する方法を挙げることができる。
【００４２】
また、遮光層３３の透過開口３３ａ、３３ａ、…については、ベースフィルム３２の一方の面に一面に積層された遮光層３３に対して、マイクロレンズ３１、３１、…側からレーザを照射し、該レーザが照射された部分で遮光層３３が除去され、透過開口３３ａ、３３ａ、…が形成される方法を挙げることができる。
【００４３】
以上のように構成されたマイクロレンズを有するレンズ成型フィルム３０により、質の良い映像光を投射することができ、外観に優れた遮光層を備えたマイクロレンズを有するレンズ成型フィルムを提供することが可能となる。以下に実施例を説明し、さらに詳しく説明する。ただし、本発明は実施例の範囲に限定されるものではない。
【実施例】
【００４４】
本実施例では、得られた本発明のマイクロレンズを有するレンズ成型フィルムについて、開口率、透過率及び外観（ムラ）の評価を行った。比較のため従来におけるマイクロレンズを有するレンズ成型フィルムについても同様の評価をおこなった。以下に評価をするための条件等を説明する。
【００４５】
（１）マイクロレンズを有するレンズ成型フィルム
本実施例では、２種類の異なる開口率を有する本発明のレンズ成型フィルムを作製して評価した。その仕様は次の通りである。
ベースフィルムは厚みが１００μｍで、素材はＰＥＴである。これに凹型のマイクロレンズパターンが形成された金型にて光硬化型樹脂を成形する。ここで、レンズの高さは５０μｍ、ピッチは縦が５０μｍ、横が１４０μｍである。その後、比レンズ面にカーボンブラック分散樹脂を１μｍの厚さで塗布し、ＵＶ硬化させてから、レンズ面よりレーザを照射し、セルフアライメントによりレンズに対応した透過窓を形成する。本実施例で用いたマイクロレンズの形状は１種類であるが、レーザの照射条件（波長、エネルギー）を変えることによって、透過窓の形状が変化することが分かった。図４に示したＮｏ．１〜５のサンプルは，照射エネルギー密度をＮｏ．１から順に、１００μＪ／ｃｍ２、１２０μＪ／ｃｍ２、６０μＪ／ｃｍ２、７０μＪ／ｃｍ２、８０μＪ／ｃｍ２で加工を行ったものであり、エネルギー密度が高い順に開口率が上昇していることが分かる。
【００４６】
（２）開口率
開口率は顕微鏡で撮像した画像から開口部の面積を求め、単位面積当たりの開口率を計算した。
【００４７】
（３）透過率
透過率は村上色彩研究所のヘイズメータ（ＨＲ−１００）を用いて、全光線透過率の測定を行った。
【００４８】
（４）ムラ
外観（ムラ）の評価は蛍光灯の光の反射を目視で観察することによって行ない、面内均一でムラが認められないものを○、うっすらとムラが認められるものを△、はっきりとムラが認められるものを×と判定した。
【００４９】
（５）結果
以上の評価条件に基づいて得られた結果を図４に示した。図４中における「透過開口形状」の欄にはレンズ成型フィルムを遮光層側から見た拡大写真を示している。ここで、写真の白色で表された部分が透過開口に該当する。一方、黒色で表された部分は遮光層である。図４からもわかるように本発明のマイクロレンズを有するレンズ成型フィルムは透過率が高いとともに外観（ムラ）についても良好であった。一方比較例で示したマイクロレンズを有するレンズ成型フィルムでは、透過率が低く、外観（ムラ）も良くなかった。特にＮｏ．１で示した本発明のレンズ成型フィルムと、Ｎｏ．５で示した従来例によるレンズ成型フィルムとの比較では、開口率が概ね同じであるにもかかわらず、透過率に優れており、本発明の効果が顕著に現れている。
【００５０】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うマイクロレンズを有するレンズ成型フィルムも本発明の技術的範囲に包含されるものとして理解されなければならない。
【図面の簡単な説明】
【００５１】
【図１】１つの実施形態に係る本発明のレンズ成型フィルム一部を拡大して示した外観斜視図である。
【図２】図１に示したレンズ成型フィルムの層構成を模式的に示した図である。
【図３】図１に示したレンズ成型フィルムの一部を遮光層側から拡大して示した平面図である。
【図４】実施例の結果を示す図である。
【図５】レンズ成型フィルムが備えられるリアプロジェクションテレビの構造を説明するための図である。
【図６】従来のレンズ成型フィルム一部を拡大して示した外観斜視図である。
【図７】図６に示したレンズ成型フィルムの層構成を模式的に示した図である。
【図８】図６に示したレンズ成型フィルムの一部を遮光層側から拡大して示した平面図である。
【符号の説明】
【００５２】
３０  レンズ成型フィルム
３１  レンズ
３２  ベースフィルム
３３  遮光層
３３ａ  透過開口（開口）
３３ｂ  主透過開口
３３ｃ  連結透過開口
１３０  レンズ成型フィルム
１３１  レンズ
１３２  ベースフィルム
１３３  遮光層
【図１】
2007264134.tif 000003
【図２】
2007264134.tif 000004
【図３】
2007264134.tif 000005
【図４】
2007264134.tif 000006
【図５】
2007264134.tif 000007
【図６】
2007264134.tif 000008
【図７】
2007264134.tif 000009
【図８】
2007264134.tif 000010